(57)【要約】【課題】記録機器を固定する際の記録機器本体にかかる負荷を抑制することができる、記録機器セットおよびホルダーを提供する。【解決手段】外部機器に電気的に接続するＵＳＢ端子５および筐体２を有する録音機器１と、録音機器１の姿勢を維持するホルダー１１とを備えている。筐体２は、内部にＵＳＢ端子５を収納する収納部１０、および、ＵＳＢ端子５を外部に突出可能とする開口部を有している。ホルダー１１は、録音機器１が所定の姿勢で取付けられる取付部１８を含む。取付部１８は、ＵＳＢ端子５のプラグ６の外形と嵌合する内壁を有する嵌合部１９を含む。嵌合部１９は、開口部と嵌合可能な外壁を有する。【選択図】図８
2011138978.tif 000002
【特許請求の範囲】
【請求項１】
外部機器に電気的に接続する接続端子および筐体を有する記録機器と、
前記記録機器の姿勢を維持するホルダーと
を備え、
前記筐体は、内部に前記接続端子を収納する収納部、および、前記接続端子を外部に突出可能とする開口部を有し、
前記ホルダーは、前記記録機器が所定の姿勢で取付けられる取付部を含み、
前記取付部は、前記接続端子の外形と嵌合する内壁を有する嵌合部を含み、
前記嵌合部は、前記開口部と嵌合可能な外壁を有する、記録機器セット。
【請求項２】
外部機器に電気的に接続する接続端子を収納する収納部および該接続端子の突出用開口部が形成された筐体を有する記録機器の姿勢を維持するホルダーであって、
前記記録機器を所定の姿勢で取付けられる取付部を備え、
前記取付部は、前記接続端子の外形と嵌合する内壁を有する嵌合部を含み、
前記嵌合部は、前記開口部と嵌合可能な外壁を有する、ホルダー。
【請求項３】
前記取付部は、スライドして前記筐体から突出可能な前記接続端子の外形と嵌合する内壁を有する嵌合部を含む、請求項２に記載のホルダー。
【請求項４】
前記記録機器を被固定部材に固定する固定部と、
前記固定部と前記取付部とを連結する連結部と
を備え、
前記連結部は、前記取付部と前記固定部とを相対移動可能に連結する、請求項２または３に記載のホルダー。
【請求項５】
前記連結部は、前記取付部と前記固定部とを引き離す方向の過負荷が作用した際に前記取付部が前記固定部から離脱するように、前記取付部と前記固定部とを連結する、請求項４に記載のホルダー。
【請求項６】
前記連結部は、離脱した前記取付部を前記固定部に再連結可能に構成されている、請求項５に記載のホルダー。
【請求項７】
前記連結部は、ボールジョイント構造を有する、請求項４から６のいずれかに記載のホルダー。
【請求項８】
前記連結部において、前記固定部と前記取付部との接触位置に潤滑剤が塗布された、請求項４から７のいずれかに記載のホルダー。
【発明の詳細な説明】
【技術分野】
【０００１】
本発明は、記録機器セットおよびホルダーに関する。
【背景技術】
【０００２】
近年、本体内部に収納できるスライド式のＵＳＢ(Universal Serial Bus)端子を採用することにより、ケーブルを介することなくＰＣ(personal computer)との直接接続が可能な記録機器が開発されている。
【０００３】
これらの記録機器の姿勢を維持して被固定部材に固定するホルダーを開示した先行文献として、非特許文献１がある。非特許文献１に記載されたホルダーは、ゴム製のクリップと三脚取付部とを有しており、ホルダー本体を三脚取付部により三脚に取付けて、クリップで記録機器本体を挟持することにより、三脚に記録機器を取付けることができる。
【先行技術文献】
【非特許文献】
【０００４】
【非特許文献１】ケータイＷａｔｃｈ、[online]、[２００９年１２月１１日検索]、インターネット＜URL:http://k-tai.impress.co.jp/cda/article/todays_goods/34256.html＞
【発明の概要】
【発明が解決しようとする課題】
【０００５】
非特許文献１に記載されたホルダーにおいては、クリップで記録機器本体を挟持しているため、記録機器本体に負荷がかかり変形することがある。また、記録機器本体の表面には種々の操作ボタンが設けられているため、クリップで記録機器本体を挟持させることができないこともある。
【０００６】
本発明は上記の問題点に鑑みなされたものであって、記録機器を固定する際の記録機器本体にかかる負荷を抑制することができる、記録機器セットおよびホルダーを提供することを目的とする。
【課題を解決するための手段】
【０００７】
本発明に基づく記録機器セットは、外部機器に電気的に接続する接続端子および筐体を有する記録機器と、記録機器の姿勢を維持するホルダーとを備えている。筐体は、内部に接続端子を収納する収納部、および、接続端子を外部に突出可能とする開口部を有している。ホルダーは、記録機器が所定の姿勢で取付けられる取付部を含む。取付部は、接続端子の外形と嵌合する内壁を有する嵌合部を含む。嵌合部は、開口部と嵌合可能な外壁を有する。
【０００８】
上記の構成により、ホルダーにおいては、記録機器の接続端子および記録機器の筐体の開口部に嵌合する嵌合部を有する取付部に記録機器を取付けるため、記録機器を固定する際に記録機器本体にかかる負荷を抑制することができる。
【０００９】
本発明に基づくホルダーは、外部機器に電気的に接続する接続端子を収納する収納部およびこの接続端子の突出用開口部が形成された筐体を有する記録機器の姿勢を維持するホルダーである。ホルダーは、記録機器を所定の姿勢で取付けられる取付部を備えている。取付部は、接続端子の外形と嵌合する内壁を有する嵌合部を含む。嵌合部は、開口部と嵌合可能な外壁を有する。
【００１０】
上記の構成により、記録機器の接続端子および記録機器の筐体の開口部に嵌合する嵌合部を有する取付部に記録機器を取付けるため、記録機器を固定する際に記録機器本体にかかる負荷を抑制することができる。
【００１１】
本発明の一形態においては、取付部は、スライドして筐体から突出する接続端子の外形と嵌合する内壁を有する嵌合部を含む。この構成により、記録機器のスライド式接続端子および記録機器の筐体の開口部に嵌合する嵌合部を有する取付部に記録機器を取付けるため、記録機器を固定する際に記録機器本体にかかる負荷を抑制することができる。
【００１２】
本発明に基づくホルダーにおいて好ましくは、記録機器を被固定部材に固定する固定部と、固定部と取付部とを連結する連結部とを備えている。連結部は、取付部と固定部とを相対移動可能に連結している。この構成により、記録機器を固定する姿勢を調整することができるとともに、固定された記録機器に外力が作用した際に、取付部と固定部とが相対移動することにより記録機器およびホルダーに外力がそのまま作用することを抑制することができる。
【００１３】
本発明に基づくホルダーにおいて好ましくは、連結部は、取付部と固定部とを引き離す方向の過負荷が作用した際に取付部が固定部から離脱するように、取付部と固定部とを連結する。上記の構成により、過負荷により取付部および固定部が破壊することを防止することができる。
【００１４】
本発明に基づくホルダーにおいて好ましくは、連結部は、離脱した取付部を固定部に再連結可能に構成されている。上記の構成により、過負荷が作用して分離されたホルダーを再度組立てて利用することができる。
【００１５】
本発明に基づくホルダーにおいて好ましくは、連結部は、ボールジョイント構造を有する。上記の構成により、取付部を固定部に対して縦横自在に相対移動させることができるため、記録機器を所望の姿勢で被固定部材に固定することができる。
【００１６】
本発明に基づくホルダーにおいて好ましくは、連結部において、固定部と取付部との接触位置に潤滑剤が塗布されている。上記の構成により、連結部の連結が滑らかになり、取付部と固定部とが相対移動した際の音の発生を抑制することができる。
【発明の効果】
【００１７】
本発明によれば、記録機器の接続端子および記録機器の筐体の開口部に嵌合する嵌合部を有する取付部に記録機器を取付けるため、記録機器を固定する際の記録機器本体にかかる負荷を抑制することができる。
【図面の簡単な説明】
【００１８】
【図１】本発明の一実施形態に係る録音機器の外観を模式的に示す斜視図である。
【図２】同実施形態に係る録音機器のＵＳＢ端子をスライドして外部に突出させた状態を模式的に示す斜視図である。
【図３】同実施形態に係る録音機器のＵＳＢ端子をスライドして外部に突出させた状態を録音機器の裏面側から模式的に示す斜視図である。
【図４】同実施形態に係る録音機器のＵＳＢ端子を筐体の内部に収納した状態を模式的に示す斜視図である。
【図５】同実施形態に係るホルダーの構成を模式的に示す斜視図である。
【図６】図５のホルダーを矢印ＶＩから見た図である。
【図７】同実施形態において、ＵＳＢ端子を突出させた状態の録音機器をホルダーに取付けた状態を模式的に示す側面図である。
【図８】同実施形態において、ＵＳＢ端子を収納した状態の録音機器をホルダーに取付けた状態を模式的に示す側面図である。
【図９】図８の矢印ＩＸから見た状態を示す図である。
【図１０】図９のＸ−Ｘ線矢印方向から見た断面図である。
【図１１】同実施形態に係るホルダーにおいて、取付部が固定部から離脱した状態を模式的に示す側面図である。
【図１２】同実施形態に係る固定部を下側から見た状態を模式的に示す底面図である。
【図１３】(Ａ)は、平面上にホルダーを載置した状態、(Ｂ)は、挟持面で被固定部材を挟持した状態、(Ｃ)は、固定部の凹部で被固定部材を挟持した状態を模式的に示す図である。
【発明を実施するための形態】
【００１９】
以下、本発明に基づいた一実施形態における記録機器セットおよびホルダーについて図を参照して説明する。本実施形態においては、記録機器として、接続端子としてスライド式ＵＳＢ端子を有した録音機器について説明するが、記録機器はこれに限られない。記録機器として、たとえば、録画機器などでもよい。接続端子としては、たとえば、ＳＣＳＩ(Small Computer System Interface)インタフェースに対応した端子でもよい。
【００２０】
図１は、本発明の一実施形態に係る録音機器セットに含まれる録音機器の外観を模式的に示す斜視図である。図１に示すように、本実施形態に係る録音機器セットに含まれる録音機器１は、たとえばＩＣレコーダなどの録音機器であり、マイク４６を備えている。マイク４６は、録音機器１の先端の両側面に設けられている。
【００２１】
マイク４６から入力された音声信号は、ＩＣレコーダに内蔵されたメモリに、デジタル音声信号として記録される。マイク４６は、入力感度に指向性を有しているため、音源に対して感度の高い位置にマイク４６を配置して固定することが望まれる。本発明の記録機器セットおよびホルダーにおいては、ＩＣレコーダの姿勢を維持することができるため、マイク４６を所望の位置に配置して固定することができる。ＩＣレコーダの他にも、たとえば、デジタルカメラなどにも本発明を適用することができる。
【００２２】
また、録音機器１は、略直方体形状の筐体２およびスライド式ＵＳＢ端子を有している。筐体２には、表示パネルおよび種々の操作ボタンなどが組み込まれている。筐体２の側端部に、ＵＳＢ端子が突出する開口部を覆う蓋部４が設けられている。
【００２３】
図２は、本実施形態に係る録音機器のＵＳＢ端子をスライドして外部に突出させた状態を模式的に示す斜視図である。図２に示すように、蓋部４は筐体２と図示しないジョイントにより回転可能に連結されている。具体的には、蓋部４を筐体２の長手方向において筐体２の外側にスライドさせた後、蓋部４を反対側に回転させた状態が、図２に示す状態である。
【００２４】
ＵＳＢ端子５は、外部機器に電気的に接続するためのプラグ６およびプラグ６の根本に形成された樹脂製の保護部７を有している。外部機器としては、たとえば、ＵＳＢインタフェースを備えるＰＣなどがある。プラグ６は、直方体形状の外形を有している。保護部７は、プラグ６より一回り大きな直方体形状の外形を有している。開口部３は矩形状であり、ＵＳＢ端子５をスライドして外部に突出させた状態において、開口部３と保護部７とは嵌合している。
【００２５】
図３は、本実施形態に係る録音機器のＵＳＢ端子をスライドして外部に突出させた状態を録音機器の裏面側から模式的に示す斜視図である。図３に示すように、筐体２の裏面には、筐体２の長手方向に延びる長円形状のスライド孔部８が形成されている。スライド孔部８の内部には、保護部７から突出したスライドつまみ９が配置されている。スライドつまみ９は、スライド孔部８に沿って図中の矢印方向にスライドするように設けられている。
【００２６】
スライドつまみ９を筐体２の端部側にスライドさせることにより、ＵＳＢ端子５を筐体２の外部に突出させることができる。一方、スライドつまみ９を筐体２の中央側にスライドさせることにより、ＵＳＢ端子５を筐体２の内部に収納させることができる。
【００２７】
図４は、本実施形態に係る録音機器のＵＳＢ端子を筐体の内部に収納した状態を模式的に示す斜視図である。筐体２には、内部にＵＳＢ端子５を収納する収納部１０が設けられている。収納部１０にＵＳＢ端子５が収納された状態においては、開口部３とプラグ６の外形との間に隙間が形成されている。
【００２８】
図５は、本実施形態に係るホルダーの構成を模式的に示す斜視図である。図６は、図５のホルダーを矢印ＶＩから見た図である。図５に示すように、本実施形態に係る録音機器セットに含まれるホルダー１１は、録音機器１を被固定部材に固定する固定部１２と、録音機器１を取付ける取付部１８と、固定部１２と取付部１８とを連結する連結部１５とを含む。
【００２９】
図５，６に示すように、固定部１２は、クリップ構造を有しており、第１固定部材１３、第２固定部材１４、第１固定部材１３と第２固定部材１４とを軸支するシャフト２５、および、シャフト２５に巻き回されたばね２６を含む。
【００３０】
第１固定部材１３は、略直方体形状を有する第１基部４１を有している。第１基部４１の下面には、略平坦な面を有する載置面３８が形成されている。第１基部４１の長手方向における一方の端部の上面には、略平坦な面を有する第１挟持面３３が形成されている。第１基部４１の短手方向における両端部近傍において、第１基部４１の上面から上方に延設された１対のシャフト受け部３９が形成されている。
【００３１】
第２固定部材１４は、第１固定部材１３に対向するように配置されている。第２固定部材１４は、外形が略直方体形状を有する第２基部４２を有している。第２基部４２の中央部周辺に、後述する球状部１７が通過可能な孔部４３が形成されている。孔部４３に繋がって、後述する係止部１６が形成されている。第２基部４２の短手方向における両端部において、第２基部４２の下面から下方に延設された１対の側部４０が形成されている。
【００３２】
第２固定部材１４には、第２基部４２の長手方向における一方の端部の下面から下方に延設された周側部４４、および周側部４４の下端から連続して第２基部４２に対向する底部４５が形成されている。底部４５において、第１挟持面３３に対向する下面に、略平坦な面を有する第２挟持面３４が形成されている。
【００３３】
第１固定部材１３のシャフト受け部３９と第２固体部材１４の側部４０とは、対向するように配置されている。第１固定部材１３の１対のシャフト受け部３９および第２固体部材１４の１対の側部４０のそれぞれに、シャフト２５が貫通するシャフト用孔部が形成されている。シャフト用孔部は、第１固定部材１３および第２固体部材１４の長手方向に直交する方向に開けられている。１対の側部４０には、シャフト用孔部と周側部４４との間の位置に、半円形状の凹部３７が形成されている。
【００３４】
１対のシャフト受け部３９および１対の側部４０のシャフト用孔部にシャフト２５が挿通されることにより、第１固定部材１３および第２固定部材１４がシャフト２５を中心に揺動自在に軸支されている。ばね２６は、第１固定部材１３の長手方向における第１挟持面３３とは反対側の端部の上面と、第２固定部材１４の長手方向における第２挟持面３４とは反対側の端部の下面とを引き離す方向に付勢している。その結果、第１固定部材１３および第２固定部材１４は、ばね２６により第１挟持面３３と第２挟持面３４とが押圧するように付勢されている。
【００３５】
固定部１２の上方に、録音機器１を取付ける取付部１８が配置されている。取付部１８は、ＵＳＢ端子５のプラグ６の外形と嵌合する内壁２３を有する嵌合部１９を含む。嵌合部１９は、録音機器１の筐体２の開口部３と嵌合可能な外壁２４を有している。
【００３６】
プラグ６の外形は直方体形状であるため、内壁２３は、嵌合部１９にプラグ６が挿入される方向から見て、矩形形状を有している。また、内壁２３は、嵌合部１９の内部にプラグ６を完全に収納可能な奥行きを有するように形成されている。外壁２４は、ＵＳＢ端子５の保護部７の外形と略同一の直方体形状を有している。外壁２４は、内壁２３の奥行きと同等以上の長さを有するように形成されている。
【００３７】
嵌合部１９には、嵌合部１９におけるＵＳＢ端子５と嵌合しない位置の下面から下方に突出した軸部２０が形成されている。軸部２０は、円柱形状を有している。嵌合部１９と軸部２０とから、取付部１８が構成されている。軸部２０の先端に球状部１７が形成されている。
【００３８】
第２固定部材１４の第２基部４２に、球状部１７の上半分の一部を覆う係止部１６が設けられている。第２基部４２の係止部１６の直下の下面に、球状部１７の下半分を収納する半球状の凹部が形成された収納板３１が取付けられている。第２基部４２と収納板３１とは、ねじ２８により連結されている。球状部１７、係止部１６、収納板３１およびねじ２８により連結部１５が構成されている。連結部１５は、ボールジョイント構造を有している。
【００３９】
連結部１５は、取付部１８と固定部１２とを相対移動可能に連結している。具体的には、ねじ２８の締め付けトルクを管理することにより、取付部１８が図５中の矢印２１方向に回動および矢印２２方向に揺動することができるように、球状部１７を係止している。  
【００４０】
ねじ２８の締め付けトルクが高すぎた場合、球状部１７が完全に固定されてしまうため、取付部１８と固定部１２とは相対移動することができない。一方、ねじ２８の締め付けトルクが低すぎた場合、球状部１７の係止が不十分となるため、録音機器１を取付部１８に取付けた際に、録音機器１の姿勢を維持することができない。
【００４１】
また、連結部１５において、固定部１２と取付部１８との接触位置に潤滑剤が塗布されている。この潤滑剤によって、固定部１２と取付部１８とが相対移動した際の球状部１７の摺動音を低減することができる。
【００４２】
以下、本実施形態の録音機器セット３０における録音機器１とホルダー１１との取付け構造について説明する。図７は、本実施形態において、ＵＳＢ端子を突出させた状態の録音機器をホルダーに取付けた状態を模式的に示す側面図である。図７に示すように、ＵＳＢ端子５を筐体２の収納部１０からスライド突出させた状態において、録音機器１をホルダー１１に取付けることができる。
【００４３】
録音機器１をホルダー１１に取付けるためには、嵌合部１９内にプラグ６を挿入して、嵌合部１９の端部と保護部７の端部とを接触または近接させる。プラグ６の外形と嵌合部１９の内壁とは嵌合するように形成されており、また、連結部１５の球状部１７は、録音機器１の重さによっては動かないように係止されている。そのため、図７に示す状態においても、録音機器１の姿勢を維持して被固定部材に固定することができる。
【００４４】
ただし、図７に示す状態においては、ＵＳＢ端子５がスライド突出した状態で録音機器１を固定しているため、録音機器１をホルダー１１に取付けた状態において、録音機器１に衝撃などの外力が作用した場合に、ＵＳＢ端子５にその外力が集中して負荷される。そのため、録音機器１の保護の観点から、ＵＳＢ端子５に外力の負荷しにくい取付け方法が望まれる。
【００４５】
図８は、本実施形態において、ＵＳＢ端子を収納した状態の録音機器をホルダーに取付けた状態を模式的に示す側面図である。本実施形態の録音機器セット３０においては、図８に示すように、ＵＳＢ端子５を収納部１０内に収納した状態において、録音機器１をホルダー１１に取付けることができる。
【００４６】
録音機器１をホルダー１１に取付けるためには、まず、図７に示すように、嵌合部１９内にプラグ６を挿入して、嵌合部１９の端部と保護部７の端部とを接触または近接させる。次に、スライドつまみ９によりＵＳＢ端子５を収納部１０内に収納する。このとき、嵌合部１９も筐体２の内部に挿入される。
【００４７】
図９は、図８の矢印ＩＸから見た状態を示す図である。図１０は、図９のＸ−Ｘ線矢印方向から見た断面図である。図９，１０に示すように、嵌合部１９の外形と筐体２の開口部３とは嵌合するように形成されている。
【００４８】
そのため、ＵＳＢ端子５を収納部１０内に収納した状態でホルダー１１に取り付けた際、プラグ６、嵌合部１９および開口部３がそれぞれ嵌合しているため、ＵＳＢ端子と嵌合部１９と筐体２とが一つの構造体のようになる。その結果、録音機器１とホルダー１１との取付け強度を向上させることができる。
【００４９】
録音機器１をホルダー１１に取付けた状態において、録音機器１に衝撃などの外力が作用した場合に、その外力は、筐体２とＵＳＢ端子５に分散して作用するため、録音機器１が外力により破壊することを抑制することができる。
【００５０】
図１１は、本実施形態に係るホルダーにおいて、取付部が固定部から離脱した状態を模式的に示す側面図である。図１１に示すように、ホルダー１１に取付部１８と固定部１２とを引き離す方向の過負荷が作用した際、取付部１８は固定部１２から離脱するように取付部１８と固定部１２とは連結されている。ここで、過負荷とは、ホルダー１１の構成部品を破壊可能な程度の負荷のことをいう。
【００５１】
過負荷が作用した際、取付部１８が固定部１２から離脱することにより、ホルダー１１の構成部品が破壊することを防止することができる。本実施形態においては、第２固定部材１４を弾性変形可能な樹脂材料で形成している。そのため、取付部１８と固定部１２とを引き離す方向の過負荷が作用した際に、球状部１７を係止している係止部１６が弾性変形して球状部１７の係止を解除する。その結果、取付部１８は固定部１２から離脱するため、過負荷によって取付部１８および固定部１２が破壊することを防止することができる。
【００５２】
本実施形態に係るホルダー１１の連結部は、離脱した取付部１８を固定部１２に再連結可能に構成されている。上記のように、係止を解除した後の係止部１６は、元の形状に戻っている。また、球状部１７の下半分を収納した収納板３１は、ねじ２８により固定されているため脱着可能に第２固定部材１４に取付けられている。
【００５３】
図１２は、本実施形態に係る固定部を下側から見た状態を模式的に示す底面図である。図１２に示すように、第１固定部材１３には、ねじ２８の締結用孔部２９が形成されている。本実施形態の第１固定部材１３には、３つの締結用孔部２９が形成されているが、孔の数はこれに限られない。
【００５４】
締結用孔部２９にドライバーなどを通すことができるため、容易にねじ２８の締結および取り外しを行なうことができる。ねじ２８を取り外して収納板３１を第２固定部材１４から取り外すことにより、再度、球状部１７を孔部４３に通過させた後、第２固定部材１４の係止部１６に係止させることができる。球状部１７を係止部１６に係止させた状態で、収納板３１をねじ２８により第２固定部材１４に取付けることにより、離脱した取付部１８を固定部１２に再連結することができる。
【００５５】
以下、本実施形態に係るホルダーを被固定部材に固定する方法について説明する。図１３(Ａ)は、平面上にホルダーを載置した状態、(Ｂ)は、挟持面で被固定部材を挟持した状態、(Ｃ)は、固定部の凹部で被固定部材を挟持した状態を模式的に示す図である。
【００５６】
図１３(Ａ)に示すように、固定部１２は、上面に平坦な面を有する被固定部材３２の上面に載置可能な載置面３８を有している。そのため、載置面３８を被固定部材３２の上面に接触させてホルダー１１を載置することにより、ホルダー１１を安定して固定することができる。
【００５７】
上記の通り、固定部１２は、被固定部材３５を挟持する挟持手段であるばねの付勢力を利用したクリップ構造を有している。図１３(Ｂ)に示すように、固定部１２は、被固定部材３５を間に挟持可能な対向する挟持面３３，３４を有している。クリップ構造により挟持面３３，３４を被固定部材３５に押圧させて被固定部材３５を挟持させることにより、ホルダー１１を被固定部材３５に固定することができる。
【００５８】
図１３(Ｃ)に示すように、固定部１２は、円柱形状の外形を有する被固定部材３６の外形に沿う凹部３７を有する。クリップ構造により凹部３７を被固定部材３６に押圧させて被固定部材３６を挟持させることにより、ホルダー１１を被固定部材３６に固定することができる。
【００５９】
本実施形態に係るホルダー１１においては、上記の３通りの固定方法が可能な構造に形成されているが、いずれか１つの固定方法または他の固定方法が可能なように構成されていてもよい。
【００６０】
上記のホルダー１１においては、録音機器１のＵＳＢ端子５のプラグ６および録音機器１の筐体２の開口部３に嵌合する嵌合部１９を有する取付部１８に録音機器１を取付けるため、録音機器１を固定する際の録音機器１本体にかかる負荷を抑制することができる。
【００６１】
なお、本実施形態においては、保護部７の外形を直方体形状としたため、開口部３および嵌合部１９を直方体形状としたが、保護部７の外形および嵌合部１９の外形と開口部３とが嵌合するものであればよく、保護部７の外形および嵌合部１９の外形と開口部３の形状とは特に限定されない。
【００６２】
また、連結部１５としてボールジョイント構造を用いたが、他のフレキシブル構造を用いてもよい。さらに、本実施形態においては、第１固定部材１３、第２固定部材１４、球状部１７および収納板３１の材料として、ポリブチレンテレフタラート(ＰＢＴ)を用いた。ＰＢＴを用いることにより、球状部１７の摺動音の発生を抑制させることができるが、使用できる材料はこれに限られない。
【００６３】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００６４】
１  録音機器、２  筐体、３  開口部、４  蓋部、５  ＵＳＢ端子、６  プラグ、７  保護部、８  スライド孔部、９  スライドつまみ、１０  収納部、１１  ホルダー、１２  固定部、１３  第１固定部材、１４  第２固体部材、１５  連結部、１６  係止部、１７  球状部、１８  取付部、１９  嵌合部、２０  軸部、２３  内壁、２４  外壁、２５  シャフト、２９  締結用孔部、３０  録音機器セット、３１  収納板、３２，３５，３６  被固定部材、３３，３４  挟持面、３７  凹部、３８  載置面  ３９  シャフト受け部、４０  側部、４１  第１基部、４２  第２基部、４３  孔部、４４  周側部、４５  底部、４６  マイク。
【図１】
2011138978.tif 000003
【図２】
2011138978.tif 000004
【図３】
2011138978.tif 000005
【図４】
2011138978.tif 000006
【図５】
2011138978.tif 000007
【図６】
2011138978.tif 000008
【図７】
2011138978.tif 000009
【図８】
2011138978.tif 000010
【図９】
2011138978.tif 000011
【図１０】
2011138978.tif 000012
【図１１】
2011138978.tif 000013
【図１２】
2011138978.tif 000014
【図１３】
2011138978.tif 000015